(57)【要約】【課題】送信光信号を時分割多重により送受信するＰＯＮシステムに関し、発光素子異常等による連続発光異常を迅速に検出する。【解決手段】ＯＬＴ１と複数のＯＮＵ２−１〜２−ｎとの間を、光カプラ部３を介して光伝送路により接続し、複数のＯＮＵ２−１〜２−ｎからＯＬＴ１へはそれぞれ割当てられた送信タイミングで光信号を送信し、ＯＬＴ１から各ＯＮＵ２−１〜２−ｎへは、各ＯＮＵ２−１〜２−ｎ対応の割当受信タイミングで時間多重化して光信号を送信するＰＯＮシステムに於いて、光カプラ部３は、ＯＮＵ２−１〜２−ｎ対応に送信光信号を検出し、連続発光異常発生か否かを光検出部４−１〜４−ｎの検出出力信号を基に判断する手段を備【選択図】  図１
2010212778.tif 000002
【特許請求の範囲】
【請求項１】
光加入者線収容装置と複数の光加入者端末との間を、光カプラ部を介して光伝送路により接続し、前記複数の光加入者端末から前記光加入者線収容装置へはそれぞれ割当てられた送信タイミングで光信号を送信し、前記光加入者線収容装置から前記光加入者端末へは、前記光加入者端末対応に割当てられた受信タイミングで時間多重化して光信号を送信するＰＯＮシステムに於いて、
前記光カプラ部は、前記光加入者端末対応の送信光信号を検出し、連続発光異常発生か否かを監視可能の光検出部を設けた構成を有する
ことを特徴とするＰＯＮシステム。
【請求項２】
前記光カプラ部は、前記光加入者端末対応の送信光信号をそれぞれ分岐する光カプラと、該光カプラにより分岐された前記送信光信号をそれぞれ入力する光検出部と、該光検出部による検出信号をそれぞれ入力して、前記送信光信号が連続発光異常によるものであるか否かを判断する監視部とを設けた構成を有することを特徴とする請求項１記載のＰＯＮシステム。
【請求項３】
前記光カプラ部は、前記光加入者端末対応の送信光信号をそれぞれ分岐する光カプラと、該光カプラにより分岐された前記送信光信号を選択切替えする光スイッチと、該光スイッチにより選択した前記送信光信号を入力する光検出部と、前記光スイッチの切替制御を行うと共に、前記光検出部による検出信号を入力して、前記送信光信号が連続発光異常によるものであるか否かを判断する監視部とを設けた構成を有することを特徴とする請求項１記載のＰＯＮシステム。
【請求項４】
前記監視部は、前記連続発光異常の検出により、該連続発光異常発生の光加入者端末を示す情報を付加したＯＡＭフレーム又は異常通知フレームによって前記光加入者線収容装置へ通知するＰＯＮインタフェース部を備えたことを特徴とする請求項１又は２又は３の何れか１項記載のＰＯＮシステム。
【請求項５】
光加入者線収容装置と複数の光加入者端末との間を、光カプラ部を介して光伝送路により接続し、前記複数の光加入者端末から前記光加入者線収容装置へはそれぞれ割当てられた送信タイミングで光信号を送信し、前記光加入者線収容装置から前記光加入者端末へは、前記光加入者端末対応に割当てられた受信タイミングで時間多重化して光信号を送信するＰＯＮシステムに於いて、
前記光カプラ部は、前記光加入者端末からの前記送信光信号を選択的に切替える光スイッチと、該光スイッチにより選択した前記送信光信号を入力し、連続発光異常の有無を監視する為の光検出部と、外部からの制御入力により前記光スイッチを選択制御する光スイッチ制御部とを備えた
ことを特徴とするＰＯＮシステム。
【請求項６】
前記光カプラ部は、前記光スイッチを選択制御する光スイッチ制御部と、前記光スイッチの選択制御により前記送信光信号を入力する光検出部の出力信号により連続発光異常の有無を監視する監視部と、該監視部による連続発光異常検出により、該連続発光異常発生の光加入者端末を示す情報を付加したＯＡＭフレーム又は異常通知フレームを前記光加入者線収容装置へ送出するＰＯＮインタフェース部とを含む構成の監視制御部を備えたことを特徴とする請求項５記載のＰＯＮシステム。
【請求項７】
前記加入者線収容装置は、前記光カプラ部の前記光スイッチの選択制御指示を行い、且つ連続発光異常発生の加入者端末の情報を受信処理する監視制御部を備えたことを特徴とする請求項５記載のＰＯＮシステム。
【発明の詳細な説明】
【技術分野】
【０００１】
本発明は、１本の光伝送路により、複数の光加入者端末（ＯＮＵ；Ｏｐｔｉｃａｌ  Ｎｅｔｗｏｒｋ  Ｕｎｉｔ）を、光カプラを介して光加入者線収容装置（ＯＬＴ；Ｏｐｔｉｃａｌ  Ｌｉｎｅ  Ｔｅｒｍｉｎａｌ）に接続し、光信号によるデータを時分割多重化して送受信するＰＯＮ（Ｐａｓｓｉｖｅ  Ｏｐｔｉｃａｌ  Ｎｅｔｗｏｒｋ）システムに関する。
【背景技術】
【０００２】
ＰＯＮシステムは、分散配置された複数の加入者宅に設置する光加入者端末（光加入者線終端装置）（以下「ＯＮＵ」と略称する）と、光カプラを介して局側の光加入者線収容装置（以下「ＯＬＴ」と略称する）との間を光伝送路により接続し、ＯＬＴから各ＯＮＵへの送信データは、時分割多重化され、各ＯＮＵは、割当タイミングのデータを受信処理し、又割当タイミングで送信したデータは、光カプラに於いて時分割多重化されて、ＯＬＴへ伝送される。ＯＮＵ対応の送受信タイミングは、ＯＬＴ側で各ＯＮＵとの間の伝送時間計測に基づいて調整設定し、光カプラに於いて時間多重化されるように、各ＯＮＵへそれぞれ通知する。
【０００３】
又前述のようなＰＯＮシステムは、既に各種の構成が提案されており、信頼性向上の為に、二重化構成が各種提案され、例えば、現用インタフェース盤と予備インタフェース盤とをＯＬＴ側に設けて、光カプラに接続し、各ＯＮＵから光カプラを介して受信したデータを現用インタフェース盤と予備インタフェース盤とのそれぞれのメモリに蓄積し、同一タイミングの受信データを比較して、同一データを示す場合は正常と判定するＰＯＮシステムが提案されている（例えば、特許文献１参照）。
【先行技術文献】
【特許文献】
【０００４】
【特許文献１】特開２００１−１１９３４８号公報
【発明の概要】
【発明が解決しようとする課題】
【０００５】
複数のＯＮＵの中の１台の障害により、光信号が連続的又は割当タイミング以外のタイミングに送出されると、光カプラにより時分割多重していることにより、他のＯＮＵの割当タイミングで送出された光信号に対して妨害光信号となる。それによって、正常なＯＮＵの送信が阻害されることになる。このような障害が発生した場合、何れのＯＮＵの障害か判定できないので、各ＯＮＵに対して保守要員が順次巡回して正常か否かを調査することになり、障害探索に要する時間と労力とがＯＮＵ数に応じて増大し、保守コストの増大となる問題がある。又ＯＬＴ側から各ＯＮＵに対して光信号送信停止を指示し、妨害光信号が停止するか否かを調査することも考えられるが、その場合、妨害光信号が停止しても、何れのＯＮＵが障害であるかを特定するには、順次１台毎に、送信停止指示と送信開始指示とを送出する必要があり、比較的長時間を要する問題がある。
【０００６】
そこで、少なくとも光カプラ部に於いて障害発生のＯＮＵを検出可能とし、迅速に修復して、サービス低下を回避する。
【課題を解決するための手段】
【０００７】
本発明は、光加入者線収容装置（ＯＬＴ）と複数の光加入者端末（ＯＮＵ）との間を、光カプラ部を介して光伝送路により接続し、複数のＯＮＵからＯＬＴへはそれぞれ割当てられた送信タイミングで光信号を送信し、ＯＬＴからＯＮＵへは、各ＯＮＵに割当てられた受信タイミングで時間多重化して光信号を送信するＰＯＮシステムに於いて、光カプラ部は、ＯＮＵ対応の送信光信号を検出し、連続発光異常発生か否かを監視可能の光検出部を設けた構成を備えている。
【０００８】
又光カプラ部は、ＯＮＵ対応の送信光信号をそれぞれ分岐する光カプラと、この光カプラにより分岐された送信光信号をそれぞれ入力する光検出部と、この光検出部による検出信号をそれぞれ入力して、送信光信号が連続発光異常によるものであるか否かを判断する監視部とを設けた構成を有する。
【０００９】
又光カプラ部は、ＯＮＵ対応の送信光信号をそれぞれ分岐する光カプラと、この光カプラにより分岐された送信光信号を選択切替えする光スイッチと、この光スイッチにより選択した送信光信号を入力する光検出部と、光スイッチの切替制御を行うと共に、光検出部による検出信号を入力して、送信光信号が連続発光異常によるものであるか否かを判断する監視部とを設けた構成を有する。
【００１０】
又監視部は、連続発光異常の検出により、この連続発光異常発生の光加入者端末を示す情報を付加したＯＡＭフレーム又は異常通知フレームによって、ＯＬＴへ通知するＰＯＮインタフェース部を備えている。
【００１１】
又ＯＬＴと複数のＯＮＵとの間を、光カプラ部を介して光伝送路により接続し、複数のＯＮＵからＯＬＴへはそれぞれ割当てられた送信タイミングで光信号を送信し、ＯＬＴからＯＮＵへは、割当てられた受信タイミングで時間多重化して光信号を送信するＰＯＮシステムであって、光カプラ部は、ＯＮＵからの送信光信号を選択的に切替える光スイッチと、この光スイッチにより選択した送信光信号を入力し、連続発光異常の有無を監視する為の光検出部と、外部からの制御入力により光スイッチを選択制御する光スイッチ制御部とを備えている。
【００１２】
又光カプラ部は、光スイッチを選択制御する光スイッチ制御部と、光スイッチの選択制御により、送信光信号を入力する光検出部の出力信号により連続発光異常の有無を監視する監視部と、この監視部による連続発光異常検出により、この連続発光異常発生の光加入者端末を示す情報を付加したＯＡＭフレーム又は異常通知フレームをＯＬＴへ送出するＰＯＮインタフェース部とを含む構成の監視制御部を備えている。
【００１３】
又ＯＮＵは、光カプラ部の光スイッチの選択制御指示を行い、且つ連続発光異常発生のＯＮＵの情報を受信処理する監視制御部を備えている。
【発明の効果】
【００１４】
光カプラ部に於いて、各ＯＮＵ毎に連続発光異常であるか否かを、光検出部を設けたことにより、各ＯＮＵ設置個所で試験を行う必要がなく、従って、各ＯＮＵが分散配置されている場合でも、光カプラ部又はＯＬＴに於いて連続発光異常発生の有無と、異常発生ＯＮＵの識別とが可能となり、迅速な修復作業を行うことができるから、サービス低下の問題を解決することができる。
【図面の簡単な説明】
【００１５】
【図１】本発明の実施例１の説明図である。
【図２】本発明の実施例２の説明図である。
【図３】本発明の実施例３の説明図である。
【図４】本発明の実施例４の説明図である。
【図５】本発明の実施例５の説明図である。
【図６】本発明の実施例６の説明図である。
【図７】本発明の実施例７の説明図である。
【図８】本発明の実施例８の説明図である。
【図９】本発明の実施例９の説明図である。
【図１０】本発明の実施例１０の説明図である。
【図１１】本発明の実施例１１の説明図である。
【図１２】本発明の実施例１２の説明図である。
【図１３】本発明の実施例１３の説明図である。
【図１４】本発明の実施例１４の説明図である。
【図１５】本発明の実施例１５の説明図である。
【図１６】本発明の実施例１６の説明図である。
【図１７】本発明の実施例１７の説明図である。
【図１８】本発明の実施例１８の説明図である。
【発明を実施するための形態】
【００１６】
本発明は、図１を参照すると、光加入者線収容装置（ＯＬＴ）１と複数の光加入者端末（ＯＮＵ）２−１〜２−ｎとの間を、光カプラ部３を介して光伝送路により接続し、複数のＯＮＵ２−１〜２−ｎからＯＬＴ１へはそれぞれ割当てられた送信タイミングで光信号を送信し、ＯＬＴ１からＯＮＵ２−１〜２−ｎへは、各ＯＮＵに割当てられた受信タイミングで時間多重化して光信号を送信するＰＯＮシステムであって、光カプラ部３は、ＯＮＵ２−１〜２−ｎ対応の送信光信号を検出し、連続発光異常発生か否かを監視可能の光検出部４−１〜４−ｎを設けた構成を備えている。
【実施例１】
【００１７】
図１は、本発明の実施例１の説明図であり、ＰＯＮシステムの要部を示し、局側のＯＬＴ（光加入者線収容装置）１に対して複数のＯＮＵ（光加入者線終端装置）２−１，・・・２−ｎを、光カプラ部３を介して光ファイバにより接続した構成を有し、且つ光カプラ部３に、ＯＮＵ２−１〜２−ｎ対応に、合波前の光信号を検出する為の光検出部４−１〜４−ｎを設ける。この光検出部４−１〜４−ｎは、ＯＮＵ２−１〜２−ｎの送信用の発光素子又はその駆動回路の障害により、割当送信タイミング以外でも発光素子が発光する場合、例えば、連続発光状態となった場合を検出可能とした構成を有するものである。正常時は、各ＯＮＵ２−１〜２−ｎは、ＯＬＴ１から割当てられた送信タイミングに光信号の送信を開始し、且つ所定期間のみ光信号の送信を継続するもので、ＯＬＴ１に対しては、時間多重化された光信号が送信されるものである。従って、光検出部４−１〜４−ｎの検出出力信号が断続的であれば正常であり、連続的であれば連続発光障害と判断することができる。例えば、割当送信タイミング毎の光検出器４−１〜４−ｎの検出出力信号によりセットし、休止期間の光信号零によってリセットするフリップフロップ等により監視し、セット状態継続の場合、ＯＮＵ２−１〜２−ｎの発光素子の連続発光障害発生とし、このような障害発生の検出結果を、光カプラ部３の外部に図示を省略した表示手段により表示するか、又はＯＬＴ１へ図示を省略した通信手段により通知することにより、或いは、連続発光障害発生のＯＮＵを識別できる情報を付加して、ＯＬＴ１へ光信号の多重化伝送手段を適用して通知することもできる。それによって、各ＯＮＵ２−１〜２−ｎの設置個所を順次巡回して検査することなく、障害発生のＯＮＵを特定することが可能となり、迅速に連続発光障害発生ＯＮＵの送信停止処理や、修復作業を行って、正常なＯＮＵの送受信を再開させることができる。なお、光カプラ部３内に設けた光検出部４−１〜４−ｎの動作用電源は、ＯＬＴ１側から供給するか、光カプラ部３の近傍の商用電源等を利用することも可能である。
【実施例２】
【００１８】
図２は、本発明の実施例２の説明図であり、図１と同一符号は同一名称部分を示し、４−１〜４−ｎは光検出部、５−１〜５−ｎはＯＮＵ２−１〜２−ｎ対応の光カプラ、６−１〜６ｎは監視部を示す。この実施例２は、各ＯＮＵ２−１〜２−ｎとＯＬＴ１との間の光カプラ部３の本来の各ＯＮＵ２−１〜２−ｎに対する光信号の合波及び分波をする機能と共に、合波する前のＯＮＵ２−１〜２−ｎからの光信号を光カプラ５−１〜５−ｎにより分波して光検出部４−１〜４−ｎに入力し、監視部６−１〜６−ｎにより、ＯＮＵ２−１〜２−ｎが連続発光障害発生か否かを監視し、連続発光障害発生を検出すると、ＯＬＴ１へ、図示を省略した他の通信網又はＯＬＴ１とＯＮＵ２−１〜２−ｎ間で使用する光信号波長と異なる波長の光信号を、ＯＬＴ１とＯＮＵ２−１〜２−ｎ間の主信号としての光信号に多重化して通知することができる。このように、波長多重化して障害発生通知をＯＬＴ１に対して送信した場合、ＯＬＴ１は、波長分離により障害発生通知を受信処理することができる。それにより、連続発光障害発生のＯＮＵを検出して、迅速に修復作業を行うことができる。この場合、監視部６−１〜６−ｎは、ＯＮＵ２−１〜２−ｎに対して割り当てられた送信タイミング情報を、図示を省略した通信経路により受信して、その送信タイミング以外のタイミングでも送信光信号を検出した場合、連続発光障害又は送信タイミング制御機能障害の発生を検出することができる。それにより、妨害光信号送出のＯＮＵの動作停止及び修復作業を迅速に行うことができる。
【実施例３】
【００１９】
図３は、本発明の実施例３の説明図であり、図１及び図２と同一符号は同一名称部分を示し、６は共通の監視部、７は障害発生表示又は障害発生通知を行う手段を備えたインタフェース部を示す。この実施例は、監視部６により、光検出部４−１〜４−ｎによる送信光信号の検出信号を基に、連続発光異常発生か否かを判定可能とした場合を示す。連続発光障害発生検出時には、インタフェース部７に設けた発光素子等による障害発生表示又は図示を省略した他の通信網又は光信号波長多重化により、障害発生ＯＮＵを、図示を省略したＯＬＴ側へ通知することができる。それにより、連続発光障害発生のＯＮＵに対して、迅速に修復作業を行うことができる。又監視部６は、ＯＮＵ２−１〜２−ｎに対して割り当てられたそれぞれの送信タイミング情報を、図示を省略した通信経路により受信して、その送信タイミング以外のタイミングでも送信光信号を検出した場合、連続発光障害又は送信タイミング制御機能障害の発生として検出する機能を設けることもできる。
【実施例４】
【００２０】
図４は、本発明の実施例４の説明図であり、図１〜図３と同一符号は同一名称部分を示し、４は光検出部、８は光カプラ、９は光スイッチ（光ＳＷ）を示す。この実施例は、ＯＮＵ２−１〜２−ｎ対応の光カプラ５−１〜５−ｎが、ＯＮＵ２−１〜２−ｎからの送信光信号を２分岐し、一つはＯＬＴとの間の光信号の合波及び分波を行う本来の機能の光カプラ８に入力し、他方は光スイッチ９に入力する。この光スイッチ９は、監視部６からの制御により、光カプラ５−１〜５−ｎにより分波した光信号の何れか一つを選択して光検出部４に入力する。監視部６は、光スイッチ９を制御して、ＯＮＵ２−１〜２−ｎ対応の光カプラ５−１〜５−ｎにより分岐された光信号を光検出部４に入力し、光検出信号により連続発光障害発生か否かを監視する。この場合の光スイッチ９の切り替え速度は、各ＯＮＵ２−１〜２−ｎに割り当てた送信タイミングの切り替え速度に比較して遅くなるようにする。それにより、光スイッチ９により選択したＯＮＵの識別と、割り当て送信タイミング以外にも光信号を送出する連続発光障害の発生か否かを識別することができる。この場合、監視部６は、各ＯＮＵ２−１〜２−ｎに対して割り当てた送信タイミングの情報を、図示を省略した通信経路により受信し、その送信タイミングの繰り返し周期が複数となる期間毎に順次光スイッチ９を切替える制御を行うことにより、各ＯＮＵ２−１〜２−ｎ対応の選択期間に於ける連続発光障害発生の有無を判断することができる。又障害発生検出による表示やＯＬＴへの通知等は、インタフェース部７により実行する構成とすることができる。前述のように、各ＯＮＵ２−１〜２−ｎの連続発光障害を自動的に検出してＯＬＴへ通知することが可能であり、従って、迅速に連続発光障害の回復処理を行うことができる。
【実施例５】
【００２１】
図５は、本発明の実施例５の説明図であり、前述の各図と同一符号は同一名称部分を示し、１０，１１はＰＯＮインタフェース部（ＰＯＮ  ＩＦ）、１２は監視部を示す。光カプラ部３のＰＯＮインタフェース部１０は、光検出部４−１〜４−ｎによりＯＮＵ２−１〜２−ｎの連続発光障害検出を行った時の異常通知により、ＯＮＵ２−１〜２−ｎの送信光信号波長と異なる光信号波長によるＯＡＭ（Ｏｐｅｒａｔｉｏｎｓ，  Ａｄｍｉｎｉｓｔｒａｔｉｏｎ  ａｎｄ  Ｍａｉｎｔｅｎａｎｃｅ）フレームを形成して、ＯＮＵ２−１〜２−ｎからの光信号に対して波長多重化し、ＯＬＴ１へ送信する。ＯＬＴ１のＰＯＮインタフェース部１１は、光カプラ部３のＰＯＮインタフェース部１０からのＯＡＭフレームを監視部１２へ転送し、連続発光障害発生ＯＮＵを識別して、保守要員派遣等により送信停止を含む修復処理を行うことにより、他の正常なＯＮＵの送受信処理を開始させることができる。
【実施例６】
【００２２】
図６は、本発明の実施例６の説明図であり、前述の各図に於ける符号と同一符号は同一名称部分を示し、図５に示す実施例５とほぼ同様な構成であり、ＰＯＮインタフェース部（ＰＯＮ  ＩＦ）１３から、連続発光障害発生のコード（発光異常ｃｏｄｅ）とＯＮＵ識別子（ＯＮＵ  ＩＤ）とを含むＯＡＭフレームを、ＯＮＵ側からＯＬＴ側へ送信する光信号の波長と異なる波長の光信号として、光カプラ８を介してＯＬＴ（図示を省略）へ送信する。ＯＬＴは、ＯＡＭフレームを受信処理して、連続発光障害発生のＯＮＵを識別して、保守要員派遣等により送信停止を含む修復処理を行うことにより、他の正常なＯＮＵの送受信処理を開始させることができる。
【実施例７】
【００２３】
図７は、本発明の実施例７の説明図であり、ＯＬＴ１は、ＰＯＮインタフェース部（ＰＯＮ  ＩＦ）１１とＯＡＭ解析部１３と監視制御部１４とのみを示し、光カプラ部３はＰＯＮインタフェース部（ＰＯＮ  ＩＦ）１３のみを示す。光カプラ部３のＰＯＮインタフェース部１３から送出するＯＡＭフレームは、連続発光障害発生のコード（発光異常ｃｏｄｅ）と、ＯＮＵ識別子（ＯＮＵ  ＩＤ）とを含み、ＯＬＴ１は、このＯＡＭフレームを、ＰＯＮインタフェース部１１を介して受信し、ＯＡＭ解析部１３により解析し、解析結果を監視制御部１４へ転送する。監視制御部１４は、連続発光障害発生ＯＮＵ情報を表示し、保守要員に通知することにより、保守要員により、迅速に障害発生ＯＮＵの修復処理を行って、正常状態に復帰させることができる。
【実施例８】
【００２４】
図８は、本発明の実施例８の説明図であり、図５と同様な要部のみを示すもので、ＰＯＮインタフェース部１０は、ＯＮＵ２−１〜２−ｎ対応の光検出部４−１〜４−ｎにより連続発光障害発生を検出した異常通知により、予め選定した異常通知フレームを形成し、前述の各実施例と同様に、光信号の波長多重化によってＯＬＴ１へ送信する。ＯＬＴ１は、ＰＯＮインタフェース部１１により受信し、波長分離により異常通知フレームを抽出して監視部１２へ転送する。監視部１２は、異常通知フレームを解析し、連続発光障害発生ＯＮＵ情報を表示し、保守要員に通知することにより、保守要員により、迅速に障害発生ＯＮＵの修復処理を行って、正常状態に復帰させることができる。
【実施例９】
【００２５】
図９は、本発明の実施例９の説明図であり、ＯＮＵ２−１〜２−ｎと光カプラ部３との要部を示し、図８に於けるＰＯＮインタフェース部１０の前段に監視部６を設け、ＯＮＵ２−１〜２−ｎ対応の光検出部４−１〜４−ｎによる連続発光障害発生検出信号を監視部６に転送し、監視部６からＰＯＮインタフェース部１０と光カプラ８とを介して、異常通知フレームをＯＬＴ（図示を省略）へ、波長多重光信号として送信する場合を示す。この場合の異常通知フレーム構成の一例として、異常通知フレームであることを示すヘッダ部のコード（独自ｃｏｄｅ）と、異常発光状態であることを示すコード（発光異常ｃｏｄｅ）と、異常発光状態のＯＮＵを識別可能とするＯＮＵ識別子（ＯＮＵ  ＩＤ）とを含む構成とすることができる。図示を省略したＯＬＴに於いては、異常通知フレームを受信して、異常発光状態のＯＮＵを識別することができるから、迅速に保守要員による修復処理を行うことができる。
【実施例１０】
【００２６】
図１０は、本発明の実施例１０の説明図であり、ＯＬＴ１は、ＰＯＮインタフェース部（ＰＯＮ  ＩＦ）１１と監視制御部１４とスイッチ部（ＳＷ部）１５との要部構成のみを示し、光カプラ部３はＰＯＮインタフェース部（ＰＯＮ  ＩＦ）１０のみを示す。ＯＬＴ１のスイッチ部１５は、光カプラ部３に於いて検出した連続発光障害発生を、前述の各実施例により説明したように、異常通知フレームによりＯＬＴ１へ通知する。この異常通知フレームのヘッダ部の異常通知フレームを示すコード（独自ｃｏｄｅ）を、スイッチ部１５に於いて識別すると、スイッチ部１５は、この異常通知フレームを監視制御部１４へ転送する。監視制御部１４は、異常通知フレームにより通知された異常発光状態のＯＮＵを識別して表示し、保守要員に通知する。それによって、迅速に保守要員による異常発光状態のＯＮＵの修復処理を行うことができる。
【実施例１１】
【００２７】
図１１は、本発明の実施例１１の説明図であり、１はＯＬＴ、２−１〜２−ｎはＯＮＵ、３は光カプラ部、４は光検出部、９−１〜９−ｎは光スイッチ（光ＳＷ）、１６は光スイッチ制御部（光ＳＷ制御部）、１７はパソコン（パーソナル  コンピュータ）を示す。この実施例は、光カプラ部３に設けた光スイッチ９−１〜９−ｎの中の何れか一つを、パソコン１７から制御命令を入力する光スイッチ制御部１６により制御して、ＯＮＵ２−１〜２−ｎからの光信号を選択して光検出部４に入力する。光検出部４は、前述のように、選択されたＯＮＵからの光信号が連続発光障害の発生状態か否かを判定し、連続発光障害の場合は、前述の各実施例に示すように、ＯＬＴ１へ異常通知を行う。或いは、図９に示す実施例９のように、ＯＮＵ２−１〜２−ｎ対応の光検出部４−１〜４−ｎを設けて、パソコン１７により各光検出部４−１〜４−ｎの検出出力信号を順次選択して、正常か否かの識別判断を行う構成とすることも可能である。
【実施例１２】
【００２８】
図１２は、本発明の実施例１２の説明図であり、ＯＮＵ２−１〜２−ｎと光カプラ部３とを示し、光カプラ部３は、ＯＮＵ２−１〜２−ｎ対応の光スイッチ（光ＳＷ）９−１〜９−ｎと、光検出部４と、操作インタフェース部（操作ＩＦ）１８と、光カプラ制御部１９と、インタフェース部７とについて示す。操作インタフェース部１８は、光カプラ制御部１９を介して光スイッチ９−１〜９−ｎを選択制御し、ＯＮＵ２−１〜２−ｎからの上り光信号を光検出部４に入力する。光検出部４による検出信号を光カプラ制御部１９に入力し、連続発光障害であるか否かを判定する。光スイッチ９−１〜９−ｎにより選択したＯＮＵ２−１〜２−ｎが正常であるか又は連続発光障害発生であるかを識別し、その識別結果を、操作インタフェース部１８とインタフェース部７との何れか一方又は両方に表示する。それにより、保守要員は、連続発光障害発生の場合のＯＮＵを識別し、修復処理を実行することになる。
【実施例１３】
【００２９】
図１３は、本発明の実施例１３の説明図であり、前述の各図と同一符号は同一名称部分を示し、２０はＰＯＮインタフェース及び監視制御部を示す。このＰＯＮインタフェース及び監視制御部２０は、ＯＮＵ２−１〜２−ｎ対応の光スイッチ（光ＳＷ）９−１〜９−ｎを選択制御して、光検出部４に、ＯＮＵ２−１〜２−ｎの送信光信号を入力し、光検出部４による検出信号をＰＯＮインタフェース及び監視制御部２０に入力する。それにより、連続発光障害の有無と、連続発光障害が発生した場合のＯＮＵ２−１〜２−ｎとを判定し、連続発光障害発生のＯＮＵ情報を光信号ＯＡＭフレームとして、ＯＬＴ１に通知することができる。ＯＬＴ１は、ＰＯＮインタフェース部１１を介して監視制御部１４に転送し、保守要員に通知することができる。
【実施例１４】
【００３０】
図１４は、本発明の実施例１４の説明図であり、ＯＮＵ２−１〜２−ｎと光カプラ部３とを示し、ＯＬＴは図示を省略している。この光カプラ部３は、光検出部４と、光スイッチ（光ＳＷ）９−１〜９−ｎと監視制御部２１とについて示し、監視制御部２１は、ＰＯＮインタフェース部（ＰＯＮ  ＩＦ部）２２と光スイッチ制御部（光ＳＷ制御部）２３と監視部２４とを含む構成を有し、監視制御部２１のＰＯＮインタフェース部２２は、図示を省略したＯＬＴから、ＯＮＵ２−１〜２−ｎに割当てた受信タイミングと異なる監視制御部２１に割当てられたタイミングで送信する制御フレームを受信し、又監視制御部２１に割当てられたタイミングでＯＬＴへＯＡＭフレームを送信する機能を備えている。制御フレームは、光スイッチ切替えを示すコード（光ＳＷ切替ｃｏｄｅ）と、光スイッチ切替えにより選択するＯＮＵを示すＩＤ（ＯＮＵ  ＩＤ）とを含む場合を示し、ＯＡＭフレームは、ＯＮＵ２−１〜２−ｎの発光異常コードと、ＯＮＵの識別子（ＯＮＵ  ＩＤ）とを含み、連続発光障害発生検出により、ＯＡＭフレームによりＯＬＴへ通知する。その場合、制御フレームにより、ＯＮＵを指定するか、又は光カプラ部３に接続されたＯＮＵ２−１〜２−ｎを順次選択する指定が行われる。このようなＯＬＴからの指示に従って光スイッチ制御部２３から光スイッチ９−１〜９−ｎを制御し、ＯＮＵ２−１〜２−ｎの送信光信号を光検出部４に入力する。
【００３１】
光スイッチ９−１〜９−ｎにより選択されたＯＮＵの送信光信号を光検出部４に入力して、光検出信号を監視部２４に入力する。図示状態は、光スイッチ９−１により、ＯＮＵ２−１の送信光信号を光検出部４に入力するように切替えた状態を示す。監視部は、光検出部４からの光検出信号が指定された送信タイミングによるものであるか、又は連続発光状態であるかを識別し、連続発光状態の場合は、ＰＯＮインタフェース部２２に通知する。ＰＯＮインタフェース部２２は、ＯＡＭフレームを形成し、ＯＮＵから指定された送信タイミングで、光信号のＯＡＭフレームを送信する。従って、ＯＬＴ側で、制御フレームにより光カプラ部３を介して接続された複数のＯＮＵ２−１〜２−ｎを順次指定するか又は特定のＯＮＵを指定して、正常か否かの試験を行うことができ、その試験結果をＯＡＭフレームにより受信することができ、ＯＬＴに於いて遠隔監視が可能となる。
【実施例１５】
【００３２】
図１５は、本発明の実施例１５の説明図であり、ＯＬＴ１と光カプラ部３とを示し、光カプラ部３に接続される複数のＯＮＵは図示を省略している。又光カプラ部３は、ＰＯＮインタフェース部２２のみを図示し、他の構成は図示を省略している。又ＯＬＴ１は、ＰＯＮインタフェース部１１とＯＡＭ生成／解析部２１と監視制御部１４とを示し、他の構成は図示を省略している。この実施例は、ＯＬＴ１側で、光カプラ部３のＰＯＮインタフェース部２２を、ＯＮＵと同様に取り扱う場合を示し、従って、ＯＬＴ１からは、光カプラ部３のＰＯＮインタフェース部２２に対する送受信タイミングを、図示を省略した複数のＯＮＵと同様に割当てる。それにより、ＯＬＴ１からのＯＡＭフレームによるＯＮＵ識別子（ＯＮＵ  ＩＤ）を含む光スイッチの制御情報（光ＳＷ切替ｃｏｄｅ）を受信し、制御結果に基づく試験結果を、発光異常コード（発光異常ｃｏｄｅ）とＯＮＵ識別子（ＯＮＵ  ＩＤ）を含むＯＡＭフレームにより、ＯＬＴ１へ送信することができる。
【実施例１６】
【００３３】
図１６は、本発明の実施例１６の説明図であり、図１３に示す実施例と同一の符号は同一名称部分を示し、ＯＮＵ２−１〜２−ｎのＯＬＴ１への送信光信号を、ＰＯＮインタフェース及び監視制御部（ＰＯＮ  ＩＦ＆監視制御部）２０が点線径路によって選択制御する光スイッチ（光ＳＷ）９−１〜９−ｎを介して光検出部４に入力し、光検出部４による検出信号をＰＯＮインタフェース及び監視制御部２０に入力する。それにより、連続発光障害の有無と、連続発光障害が発生した場合のＯＮＵ２−１〜２−ｎとを判定し、連続発光障害発生のＯＮＵ情報を異常通知フレームにより、ＯＬＴ１に通知することができる。ＯＬＴ１は、ＰＯＮインタフェース部１１を介して監視制御部１４に転送し、連続発光障害発生ＯＮＵを保守要員に通知することができる。
【実施例１７】
【００３４】
図１７は、本発明の実施例１７の説明図であり、図１４に示す構成と同様の部分を示し、光カプラ部３は、光検出部４と、光スイッチ９−１〜９−ｎと監視制御部２１とについて示し、監視制御部２１は、ＰＯＮインタフェース部（ＰＯＮ  ＩＦ部）２２と光スイッチ制御部（光ＳＷ制御部）２３と監視部２４とを含む構成を有し、監視制御部２１のＰＯＮインタフェース部２２は、ＯＬＴ（図示を省略）から、ＯＮＵ２−１〜２−ｎに割当てた受信タイミングと異なる監視制御部２１に割当てられたタイミングで送信するＯＡＭフレームを受信し、又監視制御部２１に割当てられたタイミングでＯＬＴへ異常通知フレームを送信する機能を備えている。受信するＯＡＭフレームは、光スイッチ切替えを示すコード（光ＳＷ切替ｃｏｄｅ）と、光スイッチ切替えにより選択するＯＮＵを示すＩＤ（ＯＮＵ  ＩＤ）とを含む場合を示し、ＯＬＴへ送信する為の異常通知フレームは、それを示すコードと、ＯＮＵ２−１〜２−ｎの発光異常コードと、異常発生のＯＮＵの識別子（ＯＮＵ  ＩＤ）とを含み、連続発光障害発生検出により、異常通知フレームによりＯＬＴへ通知する。その場合、ＯＡＭフレームにより、ＯＮＵを指定するか、又は光カプラ部３に接続されたＯＮＵ２−１〜２−ｎを順次選択する指定が行われる。このようなＯＬＴからの指示に従って光スイッチ制御部２３から光スイッチ９−１〜９−ｎを制御し、ＯＮＵ２−１〜２−ｎの送信光信号を光検出部４に入力することにより、ＯＮＵ２−１〜２−ｎの正常性の確認及び障害発生ＯＮＵの検出を行い、障害発生時は、異常通知フレームによりＯＬＴへ通知することができる。
【実施例１８】
【００３５】
図１８は、本発明の実施例１８の説明図であり、ＯＬＴ１と光カプラ部３とを示し、複数のＯＮＵは図示を省略している。又光カプラ部３は、ＰＯＮインタフェース部１０のみを図示し、他の構成は図示を省略し、又ＯＬＴ１は、ＰＯＮインタフェース部１１と監視制御部１４とＯＡＭ生成／解析部２１とレイヤ２スイッチ（Ｌ２ＳＷ）２５とを示し、他の構成は図示を省略している。ＯＬＴ１の監視制御部１４は、光カプラ部３に設けたＰＯＮインタフェース部１０との間で、レイヤ２スイッチ２５を介してリンクを形成し、光カプラ部３のＰＯＮインタフェース部１０からＯＮＵの連続発光障害検出時に、異常通知フレームによりＯＬＴ１へ通知する。ＯＬＴ１は、ＰＯＮインタフェース部１１により異常通知フレームを受信し、レイヤ２スイッチ２５は、異常通知フレームを監視制御部１４へ転送する。監視制御部１４は、異常通知フレームにより連続発光障害のＯＮＵを識別し、ＯＡＭ生成／解析部２１に光スイッチ切替制御指示を行う。ＯＡＭ生成／解析部２１は、光スイッチ切替コード（光ＳＷ切替ｃｏｄｅ）と、ＯＮＵ識別子（ＯＮＵ  ＩＤ）とを含むＯＡＭフレームを生成して、ＰＯＮインタフェース部１１を介して光カプラ部３へ送出する。光カプラ部３は、ＰＯＮインタフェース部１０によりＯＡＭフレームを受信し、ＯＮＵ識別子に対応した光スイッチ９−１〜９−ｎ（図１１、図１２、図１３、図１４、図１７参照）を、連続発光障害を修復するまで、光検出部４側へ継続した切替状態を維持させ、連続発光障害発生のＯＮＵ以外の正常なＯＮＵによる光信号の送受信を可能とすることができる。
【符号の説明】
【００３６】
１  ＯＬＴ（光加入者線収容装置）
２−１〜２−ｎ  ＯＮＵ（光加入者線終端装置）
３  光カプラ部
４−１〜４−ｎ  光検出部
【図１】
2010212778.tif 000003
【図２】
2010212778.tif 000004
【図３】
2010212778.tif 000005
【図４】
2010212778.tif 000006
【図５】
2010212778.tif 000007
【図６】
2010212778.tif 000008
【図７】
2010212778.tif 000009
【図８】
2010212778.tif 000010
【図９】
2010212778.tif 000011
【図１０】
2010212778.tif 000012
【図１１】
2010212778.tif 000013
【図１２】
2010212778.tif 000014
【図１３】
2010212778.tif 000015
【図１４】
2010212778.tif 000016
【図１５】
2010212778.tif 000017
【図１６】
2010212778.tif 000018
【図１７】
2010212778.tif 000019
【図１８】
2010212778.tif 000020